(57)【特許請求の範囲】
【請求項１】
温風を送風する送風部を有し、食器かごを載置するように設けた本体と、この本体上の乾燥室を覆う形状の蓋を形成する前蓋、中蓋、後蓋と、前記前蓋と中蓋を後蓋に回動自在で分離可能に結合する結合装置とを備え、前記結合装置の中蓋と後蓋間に中蓋が自重により可動しないようにブレーキ手段を設け、一面に前記ブレーキ手段を設け、他面に複数の結合凸部を設けた環状の結合板と、この結合板の前記結合凸部が貫通する貫通孔を有した前記中蓋の回動支点側に設けられる環状の中蓋支持部とを備え、前記結合凸部の先端部を隣設する前蓋支持部に当接させる構成とした食器乾燥機。
【請求項２】
結合板を蓋の材質と異なるジュラコン（登録商標）で形成した請求項１記載の食器乾燥機。
【発明の詳細な説明】
【０００１】
【発明の属する技術分野】
本発明は、洗浄後の食器類を乾燥させるために使用される前蓋、中蓋、後蓋を設けた食器乾燥機に関する。
【０００２】
【従来の技術】
従来、この種の食器乾燥機の一例として図８に示されるものが知られていた。以下、その構成について図８を参照しながら説明する。
【０００３】
図に示すように、合成樹脂製の後蓋１０１の回動支点となる後蓋支持部１０２に中蓋支持部１０３および、前蓋支持部１０４が回動自在に嵌挿する筒状部１０５を設け、筒状部１０５に嵌挿された中蓋支持部１０３および前蓋支持部１０４が筒状部１０５から抜け落ちないように筒状部１０５内を貫挿し、先端部に設けた爪１０６が後蓋支持部１０２に係合する蓋固定具１０７を設け、前蓋１０８および中蓋１０９を開閉自在に設けていた。
【０００４】
また、中蓋が自重により可動しないようにしたものとして、実公平２−６９０９号公報に記載されたものが知られていた。
【０００５】
以下、その食器乾燥機について図９および図１０を参照しながら説明する。
【０００６】
図に示すように、本体（図示せず）に設けた囲い壁２０１に筒状部２０２を設け、筒状部２０２に回動自在に枢支される枢支部２０３、２０４、２０５を介して三枚の蓋体片（前蓋）２０６、蓋体片（中蓋）２０７、蓋体片（後蓋）２０８から構成し、一枚目の蓋体片（前蓋）２０６と二枚目の蓋体片（中蓋）２０７に、両端を係合して一枚目の蓋体片（前蓋）２０６と二枚目の蓋体片（中蓋）２０７を互いに離反する方向に付勢する弾性部材２０９を設けていた。
【０００７】
【発明が解決しようとする課題】
このような従来の食器乾燥機では、前者においては、前蓋１０８を可動して中蓋１０９と共に開放するとき、中蓋１０９は重心位置を通過すると中蓋１０９は自重により自然に落下し、本体に当接して衝撃音が発生するという課題があり、衝撃音を無くすることが要求されている。
【０００８】
また、後蓋支持部１０２、中蓋支持部１０３、前蓋支持部１０４が隣接する各支持部に接触しながら回動されることにより、各支持部にこすれによる粉末が発生し、食器乾燥機としては不衛生であるという課題があり、粉末が発生しないようにすることが要求されている。
【０００９】
そして、後者においては、一枚目の蓋体片（前蓋）と二枚目の蓋体片（中蓋）が離反する方向に付勢する弾性部材２０９を組み込み組立てることが困難であるという課題があり組立性を良くすることが要求されている。
【００１０】
また、蓋体片（前蓋）２０６、蓋体片（中蓋）２０７、蓋体片（後蓋）２０８を組立てた状態で本体に着脱することができなく、掃除性が悪いという課題があり、蓋を組立てた状態で取外しを可能にすることが要求されている。
【００１１】
本発明は、上記課題を解決するもので、蓋の開放時における衝撃音の発生を無くすることができ、また、蓋の開閉時に発生する粉末を無くし衛生的にすることができ、また、組立性および掃除性を良くすることができる食器乾燥機を提供することを目的としている。
【００１２】
【課題を解決するための手段】
本発明の食器乾燥機は上記目的を達成するために、温風を送風する送風部を有し、食器かごを載置するように設けた本体と、この本体上の乾燥室を覆う形状の蓋を形成する前蓋、中蓋、後蓋と、前記前蓋と中蓋を後蓋に回動自在で分離自在に結合する結合装置とを備え、前記結合装置の中蓋と後蓋間に、中蓋が自重により可動しないようにブレーキ手段を設け、一面に前記ブレーキ手段を設け、他面に複数の結合凸部を設けた環状の結合板と、この結合板の前記結合凸部が貫通する貫通孔を有した前記中蓋の回動支点側に設けられる環状の中蓋支持部とを備え、前記結合凸部の先端部を隣設する前蓋支持部に当接させる構成としたものである。
【００１３】
本発明によれば、蓋の開放時における衝撃音の発生を無くすることができる食器乾燥機が得られる。
【００１４】
【発明の実施の形態】
本発明は、温風を送風する送風部を有し、食器かごを載置するように設けた本体と、この本体上の乾燥室を覆う形状の蓋を形成する前蓋、中蓋、後蓋と、前記前蓋と中蓋を後蓋に回動自在で分離可能に結合する結合装置とを備え、前記結合装置の中蓋と後蓋間に中蓋が自重により可動しないようにブレーキ手段を設け、一面に前記ブレーキ手段を設け、他面に複数の結合凸部を設けた環状の結合板と、この結合板の前記結合凸部が貫通する貫通孔を有した前記中蓋の回動支点側に設けられる環状の中蓋支持部とを備え、前記結合凸部の先端部を隣設する前蓋支持部に当接させる構成としたものであり、中蓋はブレーキ手段により自重により可動することが阻止されることとなり、前蓋の可動に伴ない中蓋はブレーキ手段のブレーキ力を受けた状態で可動して開閉され、中蓋のみが急激に可動して本体に衝突し、衝撃音の発生するのを無くすることができるという作用を有する。
【００１５】
以下、本発明の実施例について図面を参照しながら説明する。
【００１６】
【実施例】
（実施例１）
図１〜図７に示すように、後方部に温風を送風する送風部１を有した本体２の上面に着脱自在にステンレス製の水受板３を設け、水受板３の上には食器４および、まな板５の収納される食器かご６を載置している。食器かご６を含む本体上の乾燥室７を覆う形状の透明または半透明の合成樹脂製の蓋８を設け、蓋８は、側面形状がほぼ扇状で、断面形状がコの字状の前蓋８ａ、中蓋８ｂ、後蓋８ｃに分割され、後蓋８ｃが内側で、中蓋８ｂ、前蓋８ａと順次外側に設けられている。後蓋８ｃには後蓋８ｃを取付ねじ９により本体２に取付ける取付片１０と、中蓋８ｂが係合する後蓋筒状部１１を形成するように内径側を長く、外径側を短かくした断面コの字状で環状に形成した後蓋支持部１２を設ける。
【００１７】
また、中蓋８ｂには前蓋８ａの係合する中蓋筒状部１３を形成するように内径側を長く、外径側を短かくした断面コの字状で環状に形成し環状部分に前蓋８ａに連動する連動突部１４ａを設けた中蓋支持部１４を設けている。前蓋８ａには、中蓋筒状部１３に係合する断面コの字状で環状に形成した前蓋支持部１５を設け、環状部分に中蓋支持部１４に設けた連動突部１４ａが係合する円弧状の溝１５ａを形成している。前蓋８ａの開放時に、前蓋８ａが中蓋８ｂと重合したとき、前蓋支持部１５に設けた円弧状の溝１５ａの一端に、中蓋支持部１４に設けた連動突部１４ａが当接し、前蓋８ａと連動して中蓋８ｂが開放されるようになっている。
【００１８】
そして、前蓋８ａの閉鎖時には、前蓋８ａが中蓋８ｂとの重合状態から離れようとするときに前蓋８ａに設けた円弧状の溝１５ａの他端に中蓋支持部１４に設けた連動突部１４ａが当接し、前蓋８ａと連動して中蓋８ｂが閉鎖方向に移動されるようになっている。
【００１９】
また、後蓋支持部１２と中蓋支持部１４の間には、弓状の弾性片１８を備えた環状の結合板２２を設け、後蓋支持部１２に対向する一面には弾性片１８が位置し、中蓋８ｂが開くときに弾性片１８に設けた曲部１７ａが後蓋支持部１２に設けた凸部１６に圧接しながら移動することにより、中蓋８ｂの自重による回動力を抑え、急激な衝撃を生じないようにしている。すなわちブレーキ手段１９として弾性片１８の曲部１７ａが後蓋支持部１２の凸部に圧接することにより回動速度が低減する構成を設けている。弾性片１８に設けた凹部１７ｂが後蓋支持部１２の凸部と係合するときは、中蓋８ｂが所定位置に保持されるようになっている。
【００２０】
結合板２２の他面には中蓋支持部１４に設けた複数の貫通孔２０を貫通して前蓋支持部１５に当接する結合凸部２１を設けている。結合板２２と弾性片１８は、蓋８の材質とは異なるジュラコン（登録商標）製で略一体に形成されている。
【００２１】
また、後蓋支持部１２と中蓋支持部１４間に結合板２２を介在させたのち、前蓋支持部１５を係合した状態で後蓋支持部１２に対し中蓋支持部１４および前蓋支持部１５が回動自在で分離可能に結合するように後蓋筒状部１１内に嵌挿される筒状の結合具２３を設け、先端側には後蓋支持部１２に係合する爪２３ａを有し、他方側には前蓋支持部１５に当接する頭部２３ｂを有している。後蓋支持部１２、中蓋支持部１４、前蓋支持部１５、結合具２３により結合装置２４が形成される。
【００２２】
上記構成において、蓋８を形成するときには、本体２に取付ねじ９を用いて後蓋８ｃを取付けたのち、結合板２２の弾性片１８を後蓋支持部１２の凸部１６に係合するように結合板２２を取付け、結合板２２を設けた複数の結合凸部２１に中蓋支持部１４に設けた貫通孔２０を嵌挿し、前蓋支持部１５の円弧状の溝１５ａに中蓋支持部１４に設けた連動突部１４ａを係合し、前蓋支持部１５を中蓋支持部１４に係合させたのち、結合装置２４の結合具２３を後蓋筒状部１１内に嵌挿し結合具２３を爪２３ａと頭部２３ｂを用いて結合する。
【００２３】
そして、乾燥室７を覆うように蓋８を閉鎖するときには、前蓋８ａを閉鎖方向に移動することにより、前蓋８ａの前蓋支持部１５に設けた円弧状の溝１５ａの端部に中蓋８ｂの中蓋支持部１４に設けた連動突部１４ａが当接し、中蓋８ｂが前蓋８ａの移動に連動して移動する。
【００２４】
このとき、中蓋８ｂはブレーキ手段１９により一定のブレーキ力を受けながら移動し、前蓋８ａが閉じた状態では、後蓋支持部１２に設けた凸部１６が結合板２２に設けた弾性片１８の支点部側の凹部１７に係合し弾性片１８によるブレーキ力は解除される。
【００２５】
また、前蓋８ａにより蓋８を開放するときには、前蓋８ａを開放方向に移動させることにより、前蓋８ａは中蓋８ｂと重合状態となり、前蓋８ａの前蓋支持部１５に設けた円弧状の溝１５ａの端部に中蓋支持部１４に設けた連動突部１４ａが係合し、前蓋８ａと重合した状態で中蓋８ｂが開放される。
【００２６】
このとき、中蓋８ｂにはブレーキ手段１９によりブレーキ力が加わっているため中蓋８ｂのみが自重により開放されることなく、前蓋８ａとともに中蓋８ａは開放されることとなる。
【００２７】
また、前蓋８ａの回動時には前蓋支持部１５は結合板２２に設けた結合凸部２１の端部が当接した状態で回動し、中蓋支持部１４と前蓋支持部１５は非接触状態で回動することとなる。
【００２８】
このように本発明の実施例１の食器乾燥機によれば、本体上の乾燥室７を覆う形状の蓋８を形成する前蓋８ａと中蓋８ｂを本体２に取付けた後蓋８ｃに回動自在に結合装置２４を介して結合し、中蓋支持部１４と後蓋支持部１２間に中蓋８ｂが自重により可動しないようにブレーキ手段１９を設けたので、前蓋８ａを用いて蓋８を開放するとき、中蓋８ｂにはブレーキ手段１９によりブレーキ力が加わり、中蓋８ｂの自重による回動力を抑え、本体２上面に衝突する衝撃音の発生を防止することができる。
【００２９】
また、一面にブレーキ手段１９を設け、他面に複数の結合凸部２１を設けた環状の結合板２２を後蓋支持部１２と中蓋支持部１４間に設け、結合凸部２１の端部を中蓋支持部１４を貫通し、隣接する前蓋支持部１５に当接させたので、前蓋支持部１５は結合凸部２１の端部により保持され、前蓋支持部１５と中蓋支持部１４が接触するのが阻止され、前蓋８ａの回動をスムーズに行うことができ、また、前蓋支持部１５と中蓋支持部１４のこすれによる粉末の発生を防止して衛生面の向上を図ることができる。
【００３０】
また、結合板２２をジュラコン（登録商標）で形成したので、高い弾性機能を発揮するだけでなく、摺動部分の耐久性を向上し、蓋８の開閉操作をさらにスムーズに行うことができる。
【００３１】
また、結合装置２４を介して結合された蓋８全体を取付ねじ９により本体２に着脱自在に設けたので、蓋８を支持する部材などを本体２に設ける必要がなく、蓋８を取外したときには、本体２に蓋８を支持する部材などが残存せず、本体２の掃除性が向上するとともに、蓋８全体を着脱できるので、前蓋８ａ、中蓋８ｂ、後蓋８ｃの分解および組立作業を容易に行うことができる。
【００３３】
【発明の効果】
以上の実施例から明らかなように、本発明によれば温風を送風する送風部を有し、食器かごを載置するように設けた本体と、この本体上の乾燥室を覆う形状の蓋を形成する前蓋、中蓋、後蓋と、前記前蓋と中蓋を後蓋に回動自在で分離可能に結合する結合装置とを備え、前記結合装置の中蓋と後蓋間に中蓋が自重により可動しないようにブレーキ手段を設け、一面にブレーキ手段を設け、他面に複数の結合凸部を設けた環状の結合板と、この結合板の前記結合凸部が貫通する貫通孔を有した中蓋の回動支点側に設けられる環状の中蓋支持部とを備え、前記結合凸部の先端部を隣接する前蓋支持部に当接させたので、蓋の開放時の衝撃音を防止することのでき、また、粉末の発生を防止し、衛生面の向上を図ることができる食器乾燥機を提供することができる。
【００３４】
また、結合板を蓋の材質と異なるジュラコン（登録商標）で形成したので、摺動部分の粉末の発生を確実に防止できる。
【図面の簡単な説明】
【図１】本発明の実施例１の食器乾燥機の構成を示す分解斜視図
【図２】同食器乾燥機の結合装置部分を示す分解斜視図
【図３】同食器乾燥機の蓋の結合状態を示す断面図
【図４】同食器乾燥機の蓋を閉じたときのブレーキ手段の状態を示す概略図
【図５】同食器乾燥機の蓋を開放したときのブレーキ手段の状態を示す概略図
【図６】同食器乾燥機の斜視図
【図７】同食器乾燥機の蓋の開放した状態を示す断面図
【図８】従来の食器乾燥機の蓋の取付状態を示す断面図
【図９】同他の例の食器乾燥機の蓋の取付状態を示す断面図
【図１０】同食器乾燥機の二枚目の蓋体片（中蓋）の要部拡大図
【符号の説明】
１    送風部
２    本体
６    食器かご
７    乾燥室
８    蓋
８ａ  前蓋
８ｂ  中蓋
８ｃ  後蓋
１２  後蓋支持部
１４  中蓋支持部
１５  前蓋支持部
１９  ブレーキ手段
２０  貫通孔
２１  結合凸部
２２  結合板
２４  結合装置
【図１】
0004204706.tif 000002
【図２】
0004204706.tif 000003
【図３】
0004204706.tif 000004
【図４】
0004204706.tif 000005
【図５】
0004204706.tif 000006
【図６】
0004204706.tif 000007
【図７】
0004204706.tif 000008
【図８】
0004204706.tif 000009
【図９】
0004204706.tif 000010
【図１０】
0004204706.tif 000011